(57)【要約】  本発明は、眼鏡装用者の少なくとも片眼用に眼鏡レンズを計算または最適化する特にコンピュータ実装方法であって、前記眼鏡装用者の前記少なくとも片眼（１２）の屈折データを収集するステップと、前記収集された屈折データを前記眼球（１２）が有することになるように、少なくとも、前記少なくとも片眼（１２）の角膜前面（１８）の局所解剖と前記眼球（１２）の水晶体（２０）の位置および度数と前記眼球（１２）の網膜位置（ＬＡ）とを確定する個別的眼球モデルを確定するステップと、計算もしくは最適化すべき前記眼鏡レンズの第１面（１４）と第２面（１６）とを規定するステップと、前記眼鏡レンズの計算または最適化すべき少なくとも一つの前記面（１４、１６）の少なくとも一つの視点（ｉ）を通る主光線（１０）の軌跡を確認するステップと、前記主光線（１０）に沿って前記眼鏡レンズの前記第１面（１４）に入射する球面波面（ｗ０）を規定するステップと、少なくとも前記眼鏡レンズの前記第１面および第２面と前記少なくとも片眼の前記角膜前面（１８）および水晶体との度数によって前記主光線周辺の前記球面波面から前記少なくとも片眼内で帰結する合成波面（ｗｅ）を確認するステップと、前記合成波面の収差が規定された目標収差に一致するに至るまで前記眼鏡レンズの前記計算または最適化すべき少なくとも一つの面（１４、１６）を反復修正するステップを含む方法に関する。
2015506499.tif 000002
【特許請求の範囲】
【請求項１】
眼鏡装用者の少なくとも片眼用に眼鏡レンズを計算または最適化するコンピュータ実装方法であって、
前記眼鏡装用者の前記少なくとも片眼（１２）の屈折データを収集するステップと、
前記収集された屈折データを前記眼球（１２）が有することになるように、少なくとも、
前記少なくとも片眼（１２）の角膜前面（１８）の局所解剖と
前記眼球（１２）の水晶体（２０）の位置および度数と
前記眼球（１２）の網膜位置（ＬＡ）と
を確定する個別的眼球モデルを確定するステップと、
計算もしくは最適化すべき前記眼鏡レンズの第１面（１４）と第２面（１６）を規定するステップと、
前記眼鏡レンズの計算または最適化すべき少なくとも一つの前記面（１４、１６）の少なくとも一つの視点（ｉ）を通る主光線（１０）の軌跡を確認するステップと、
前記主光線（１０）に沿って前記眼鏡レンズの前記第１面（１４）に入射する球面波面（ｗ０）を規定するステップと、
少なくとも前記眼鏡レンズの前記第１面および第２面と前記少なくとも片眼の前記角膜前面（１８）および水晶体との度数によって前記主光線周辺の前記球面波面から前記少なくとも片眼内で帰結する合成波面（ｗｅ）を確認するステップと、
前記合成波面の収差が規定された目標収差に一致するに至るまで前記眼鏡レンズの前記計算または最適化すべき少なくとも一つの面（１４、１６）を反復修正するステップを含む方法。
【請求項２】
前記個別的眼球モデルの確定は、
少なくともその一つがパラメータセットによって記述される多数の屈折面を規定することと、
前記収集された屈折データを前記眼球モデルの前記眼球が有することになるように前記パラメータセットの個別値を確認することを含む請求項１記載の方法。
【請求項３】
前記少なくとも片眼の前記屈折データの収集は測定波長の光を用いて屈折データを測定することを含み、前記個別的眼球モデルの確定は、
前記個別的眼球モデルの少なくとも一つの光学素子の波長依存性を確定することと、
前記確定された波長依存性と前記測定波長とにおいて前記眼球モデルの前記眼球が前記測定された屈折データを有することになるように前記光学素子の幾何学形状を確認することを含む請求項１または２記載の方法。
【請求項４】
前記個別的眼球モデルの確認は、
前記少なくとも片眼の前記角膜前面（１８）の個別的局所解剖データおよび／または個別的網膜位置（ＬＡ）を収集することと、
前記眼球モデル内の前記眼球が前記眼鏡装用者の前記収集された屈折データによる屈折を有することになるように前記眼球の前記水晶体（２０）の度数を確認することを含む請求項１〜３のいずれか一項記載の方法。
【請求項５】
前記合成波面（ｗｅ）の確認が波面追跡によって行われる請求項１〜４のいずれか一項記載の方法。
【請求項６】
前記合成波面の確認は、
前記眼鏡レンズの前記第１面（１４）で屈折する波面を前記規定された球面波面（ｗ０）と前記規定された第１面（１４）から計算することと、
前記眼鏡レンズを通して前記主光線（１０）に沿って伝搬する波面を、前記第１面で屈折する前記計算された波面から計算することと、
前記眼鏡レンズの前記第２面（１６）で屈折する波面（ｗｇ１）を、前記眼鏡レンズ内を伝搬する前記計算された波面と前記規定された第２面（１６）から計算することと、
前記主光線（１０）に沿って前記角膜前面（１８）へと伝搬する波面（ｗｇ２）を、前記第２面で屈折した前記計算された波面（ｗｇ１）から計算することと、
前記角膜前面（１８）で屈折する波面を、前記角膜前面へと伝搬する前記計算された波面（ｗｇ２）と前記個別的眼球モデルによって確定された前記角膜前面（１８）の前記局所解剖から計算することと、
前記主光線（１０）に沿って前記水晶体（２０）へと伝搬する波面を、前記角膜前面（１８）で屈折した前記計算された波面から計算することと、
前記水晶体（２０）によって屈折する波面（ｗｅ）を、前記水晶体（２０）へと伝搬する前記計算された波面と前記個別的眼球モデルによって確定された前記水晶体（１８）の前記度数から計算することを含む請求項１〜５のいずれか一項記載の方法。
【請求項７】
前記眼鏡レンズの前記少なくとも一つの計算または最適化すべき面（１４、１６）の反復修正が目的関数を最小にすることを含む請求項１〜６のいずれか一項記載の方法。
【請求項８】
前記屈折データの収集は、前記眼球の球面度数ＳｐｈＶ、非点収差値ＺｙｌＶ、非点収差軸ＡｃｈｓｅＶおよび少なくとも一つの他の高次屈折ＨＯＡＶに関するデータを収集することを含む請求項１〜７のいずれか一項記載の方法。
【請求項９】
前記屈折データの収集は、第１物体距離に関する第１屈折データと第２物体距離に関する第２屈折データを収集することを含む請求項８記載の方法。
【請求項１０】
物体距離モデルＡｌ（ｘ、ｙ）であって、Ａｌが物体距離を表し、（ｘ、ｙ）が規定された視線方向または規定可能な視線方向における前記眼鏡レンズの視箇所もしくは視点を表す物体距離モデルＡｌ（ｘ、ｙ）を規定することと、
物体距離Ａｌに対する瞳孔寸法ｒ０の依存性を記述する関数ｒ０＝ｇ（Ａｌ）を規定することと、
前記物体距離モデルＡｌ（ｘ、ｙ）と前記規定された関数ｒ０＝ｇ（Ａｌ）に基づいて前記少なくとも一つの主光線（１０）について瞳孔寸法を確認することをさらに含む請求項１〜９のいずれか一項記載の方法。
【請求項１１】
前記最適化すべき眼鏡レンズが累進屈折力眼鏡レンズである請求項１〜１０のいずれか一項記載の方法。
【請求項１２】
眼鏡装用者の少なくとも片眼用に眼鏡レンズを計算または最適化する装置であって、
前記眼鏡装用者の前記少なくとも片眼（１２）の屈折データを収集するデータインタフェースと、
個別的眼球モデルを確定するモデル化モジュールであって、前記眼球（１２）が前記収集された屈折データを有することになるように前記モデル化モジュールが少なくとも、
前記少なくとも片眼（１２）の角膜前面（１８）の局所解剖と
前記眼球（１２）の水晶体（２０）の位置および度数と
前記眼球（１２）の網膜位置（ＬＡ）を確定する、
モデル化モジュールと、
前記計算もしくは最適化すべき眼鏡レンズの第１面（１４）と第２面（１６）とを規定する面モデルデータベースと、
前記眼鏡レンズの前記計算または最適化すべき少なくとも一つの面（１４、１６）の少なくとも一つの視点（ｉ）を通る主光線（１０）の軌跡を確認する主光線確認モジュールと、
前記主光線（１０）に沿って前記眼鏡レンズの前記第１面（１４）に入射する球面波面（Ｗ０）を規定する物体モデルモデル化モジュールと、
前記眼鏡レンズの少なくとも前記第１面および前記第２面と前記少なくとも片眼の前記角膜前面（１８）および前記水晶体との度数によって前記主光線周辺で前記球面波面から前記少なくとも片眼内で帰結する合成波面（ｗｅ）を確認する波面計算モジュールと、
前記合成波面の収差が規定された目標収差に一致するまで前記眼鏡レンズの前記計算または最適化すべき少なくとも一つの面（１４、１６）を反復修正する最適化モジュールを含む装置。
【請求項１３】
コンピュータにロードされかつ実行されるとき、請求項１〜１１のいずれか一項記載の眼鏡レンズ計算方法または最適化方法を実行するように設計されたコンピュータプログラム製品。
【請求項１４】
コンピュータプログラムを記憶した記憶媒体であって、前記コンピュータプログラムはコンピュータにロードされかつ実行されるとき請求項１〜１１のいずれか一項記載の眼鏡レンズ計算方法または最適化方法を実行するように設計されている記憶媒体。
【請求項１５】
請求項１〜１１のいずれか一項記載の眼鏡レンズ計算方法または最適化方法に従って眼鏡レンズを計算または最適化することと、
こうして計算または最適化された眼鏡レンズを作製することを含む眼鏡レンズ製造方法。
【請求項１６】
請求項１〜１１のいずれか一項記載の眼鏡レンズ計算方法または最適化方法に従って眼鏡レンズを計算または最適化するように設計された計算手段または最適化手段と、
眼鏡レンズを仕上げ加工するように設計された加工手段を含む眼鏡レンズ製造装置。
【請求項１７】
特定眼鏡装用者の眼球の前で眼鏡レンズの規定された平均的装用位置または個別的装用位置において眼鏡装用者の屈折異常を補正することへの、請求項１５記載の製造方法に従って製造された眼鏡レンズの使用。
【発明の詳細な説明】
【技術分野】
【０００１】
本発明は、眼球の高次収差も眼鏡レンズの高次収差も考慮して眼鏡レンズを計算（最適化）しかつ製造する方法、装置および相応するコンピュータプログラム製品に関する。
【背景技術】
【０００２】
眼鏡レンズ、特に個別的眼鏡レンズを製造もしくは最適化するために、各指定視線方向または各指定物点に関して眼鏡装用者の各眼球の屈折異常が極力良好に補正されるように各眼鏡レンズは作製される。一般に、頂点球面を通過時に波面の球面屈折力、円柱屈折力および乱視軸の値が非正視眼に対する処方の球面屈折力、円柱屈折力および乱視軸の値に一致するとき、眼鏡レンズは所定の視線方向に関して完全補正されたと見做される。眼鏡装用者の片眼の屈折を特定するとき、遠用（一般に無限）距離に関して屈折値（特に球面屈折力、円柱屈折力、乱視軸位置‐つまり特に球面円柱収差）が特定され、そして場合によっては（多焦点レンズもしくは累進屈折力レンズの場合）近用距離に関して加入度数（例えばＤＩＮ５８２０８による）が特定される。最近の眼鏡レンズでは付加的に、屈折特定時に用いられるが規格とは異なる物体距離も示すことができる。こうして、眼鏡レンズ製造業者に伝達される処方（特に球面屈折力、円柱屈折力、乱視軸位置および場合によっては加入度数）が確定される。各眼球の特殊なもしくは個別的解剖学的構造または非正視眼の実際に存在する屈折力に関する知識はそのために必要でない。
【発明の概要】
【０００３】
しかしすべての視線方向で同時に完全補正することは通常可能でない。それゆえに、なかんずく主要利用領域、特に中央視領域において眼鏡レンズが眼球屈折異常の良好な補正と僅かな収差のみを生じる一方、周辺領域では一層大きな収差を許容するように眼鏡レンズは作製される。
【０００４】
眼鏡レンズをこのように作製できるようにするために、まず眼鏡レンズ面の計算もしくは眼鏡レンズ面の少なくとも一つの眼鏡レンズ面の計算は不可避的収差の指定分布がこの計算によって生じるように行われる。この計算と最適化は通常、反復修正法によって目的関数を最小にすることによって行われる。目的関数として考慮されかつ最小にされるのは特に、球面度数Ｓ、円柱度数値Ｚおよび円柱の軸位置αに対して下記関数関係（「ＳＺＡ」組合せとも称される）を有する関数Ｆである。
【数１】
2015506499.tif 000003
【０００５】
目的関数Ｆにおいて眼鏡レンズの評価点ｉで考慮されるのは少なくとも球面度数の実際の屈折不足ＳΔ、ｉと円柱度数の実際の屈折不足ＺΔ、ｉ、そして球面度数屈折不足の目標規定ＳΔ、ｉ、Ｓｏｌｌと円柱度数屈折不足の目標規定ＺΔ、ｉ、Ｓｏｌｌである。
【０００６】
既にＤＥ１０３１３２７５で認識されたように、目標規定は最適化すべき特性の絶対値としてではなく処方からのそれらの偏差として、つまり要求された局所不調整として示すと有利である。そのことの利点として、目標規定は処方（ＳｐｈＶ、ＺｙｌＶ、ＡｃｈｓｅＶ、ＰｒＶ、ＢＶ）に左右されず、また目標規定は個別処方毎に変更する必要がない。従ってまた、最適化すべき特性の「実際」値として目的関数に含まれるのはこれら光学特性の絶対値ではなく処方からの偏差である。そのことの利点として、目標規定は処方に左右されることなく規定することができ、個別処方毎に変更する必要がない。
【０００７】
各評価点での各屈折不足は主に重み係数ｇｉ、ＳΔもしくはｇｉ、ＺΔで考慮される。その際、球面度数屈折不足の目標規定ＳΔ、ｉ、Ｓｏｌｌおよび／または円柱度数屈折不足の目標規定ＺΔ、ｉ、Ｓｏｌｌは、特に重み係数ｇｉ、ＳΔもしくはｇｉ、ＺΔと共に、いわゆる眼鏡レンズ設計を形成する。さらに、その他の残余、特に例えばコマ収差および／または球面収差および／またはプリズムおよび／または倍率および／またはアナモフィック歪み等々のその他の最適化すべき値も考慮することができ、そのことは特に、目的関数Ｆの上記式において表現「＋…」によって示唆されている。
【０００８】
多くの事例において特に個別的眼鏡レンズ調整の著しい改善に寄与し得るのは、眼鏡レンズの最適化時に２次までの収差（球面屈折力、非点収差値、乱視軸位置）だけでなく高次収差（例えばコマ収差、三つ葉クローバー形収差、球面収差）も考慮されるときである。
【０００９】
先行技術により、少なくとも二つの屈折界面によって限定された光学素子、特に眼鏡レンズに関して波面の形状を特定することは知られている。この特定は例えば、十分な数の隣接光線を数値計算し、それと合わせて引き続きゼルニケ多項式で波面をフィットすることによって行うことができる。別のアプローチは屈折時の局所波面追跡に依拠している（ＷＯ２００８／０８９９９９Ａ１参照）。そこでは、横断（主光線に垂直な）座標による波面の頂点深さの導関数を伴って、視点毎に単一光線（主光線）のみが計算される。これらの導関数は特定次数に至るまで形成することができ、第２導関数は波面の（例えば屈折力、非点収差等の）局所曲率特性を記述し、高次導関数が高次収差と関連している。
【００１０】
眼鏡レンズを通る光の追跡時に波面の局所導関数は光線軌跡内の好適な位置で計算され、眼鏡装用者の屈折から生じる所望値とそこで比較される。波面の評価が行われるこのような位置として一般に援用されるのは頂点球面、または例えば当該注視方向における眼球の主平面である。その際、球面波面が物点から出発して第１眼鏡レンズ面にまで伝搬するものと仮定される。そこで波面は屈折し、引き続き第２眼鏡レンズ面へと伝搬し、そこで再び屈折する。次に第２界面から頂点球面（または眼球の主平面）にまで最後の伝搬が起き、そこで波面は眼鏡装用者の眼球の屈折補正用の規定値と比較される。
【００１１】
各眼球の確認された屈折データを基にこの比較を行うために、頂点球面での波面評価のもとで非正視眼の既成モデルが想定され、このモデルでは屈折異常（屈折不足）が正視基本眼球に重ねられている。このことは特に実証された。というのも、各眼球の解剖学的構造もしくは光学（例えば屈折力分布、眼球長さ、長さに関係した非正視および／または屈折力性非正視）に関する広範な知識がこのために必要でないからである。眼鏡レンズと屈折不足とから成るこのモデルの詳細な説明は例えばDr. Roland Enders “Die Optik des Auges und der Sehhilfen”、Optische Fachveroffentlichung GmbH、Heidelberg、1995年、25頁以下とDiepes、Blendowske “Optik und Technik der Brille”、 Optische Fachveroffentlichung GmbH、Heidelberg、2002年、47頁以下に含まれている。実証されたモデルとして用いられたのはそこに述べられたREINERによる補正モデルである。
【００１２】
その際屈折不足と見做されるのは、同じ長さの正視眼（残留眼球）と比較して非正視眼の光学系の屈折力の欠如または過剰である。屈折不足の屈折力は特に、負符号を有する遠用点屈折に近似的に等しい。屈折異常の完全補正のために眼鏡レンズと屈折不足は両方で望遠鏡系（アフォーカル系）を形成する。残留眼球（屈折不足を挿入していない非正視眼）は正視であると仮定される。それとともに眼鏡レンズは、その像側焦点が非正視眼の遠用点と一致し、従って屈折不足の物体側焦点とも一致するとき、遠用に関して完全補正されたと見做される。
【００１３】
本発明の課題は、眼鏡レンズ、主に累進屈折力眼鏡レンズを計算または最適化する改良された方法を明示することであり、眼鏡レンズが眼鏡装用者の個別的諸要求に一層良好に適合されていなければならない。この課題は、独立請求項に明示された特徴を有するコンピュータ実装方法、装置、コンピュータプログラム製品および記憶媒体によって解決される。好ましい実施形態は従属請求項の対象である。
【００１４】
かくして本発明が一態様により提案するのは、眼鏡装用者の少なくとも片眼用に眼鏡レンズを計算または最適化するコンピュータ実装方法である。このためまず眼鏡装用者の少なくとも片眼の屈折データが収集される。その際、屈折データは眼球の少なくとも球面屈折異常と非点収差屈折異常とを含む。好ましい一実施形態において、収集された屈折データは高次収差（ＨＯＡ）も記述する。主に、屈折データは（アベロメータデータとも称され）例えばアベロメータを用いて検眼医によって測定される（他覚屈折データ）。選択的にまたは付加的に、自覚的に特定された屈折も援用することができる。屈折データは引き続き主に眼鏡レンズ製造業者に伝達され、および／または計算プログラムもしくは最適化プログラムに利用可能とされる。それとともに屈折データは、本発明に係る方法のために収集され特にデジタルの形で読み出されおよび／または受信されるように利用可能である。このステップは特に、従来の眼鏡レンズ計算方法もしくは最適化方法におけると同様に実行することができる。
【００１５】
しかし従来の方法から離れて本発明に係る方法はいまや個別的眼球モデルを確定するステップを含み、この眼球モデルは少なくとも眼球の幾何学的特性と光学特性とに関する一定の規定を確定する。本発明に係る個別的眼球モデルにおいて少なくとも、少なくとも片眼の角膜前面の局所解剖と、眼球の網膜位置を記述する眼球長さ（ここでは結像長さＬＡとも称する）と、眼球水晶体の位置および度数が特定の仕方で確定され、つまり眼球モデルによって記述される眼球が収集された屈折データを有するように確定される。眼球モデルの最も単純な事例において眼球の屈折は角膜前面と眼球水晶体と網膜とから成る光学系によって特定される。この単純なモデルにおいて角膜前面での光の屈折と眼球水晶体の（主に、球面収差、非点収差および高次収差を含む）屈折力は網膜に対する、眼球長さによって確定されるそれらの相対的位置と一緒に、眼球の屈折を確定する。その際主に、個々に特定された屈折データを満たすために、角膜前面の局所解剖が個々に測定され、個別的眼球モデルの眼球水晶体が適宜計算される。
【００１６】
眼鏡レンズの計算もしくは最適化のために、眼鏡レンズの第１面と第２面が特に開始面として規定される。好ましい一実施形態において二つの面の一方のみが最適化される。この面は主に眼鏡レンズの後面である。その際主に眼鏡レンズの前面に関しても後面に関しても当該開始面が規定される。しかし好ましい一実施形態において最適化操作中に一つの面のみが反復して修正もしくは最適化される。眼鏡レンズの他方の面は例えば単純な球状面または回転対称な非球状面とすることができる。但し、両方の面を最適化することも可能である。
【００１７】
両方の規定された面から出発して本方法は眼鏡レンズの少なくとも一つの計算もしくは最適化すべき面の少なくとも一つの視点（ｉ）を通る主光線の軌跡を確認することを含む。主光線は物点から出発して両方の眼鏡レンズ面、角膜前面および眼球水晶体を通って主に眼球網膜に至る幾何学的光線軌跡を記述する。
【００１８】
本方法はさらに、主光線に沿って眼鏡レンズの第１面（前面）に入射する球面波面（ｗＯ）を規定することを含む。この球面波面は物点から出発する光を記述する。眼鏡レンズの第１面に入射するときの球面波面の曲率は物体距離の逆数に一致する。それとともに本方法は主に、眼鏡レンズの少なくとも一つの最適化すべき面の各視線方向または各視点に物体距離を割り当てる物体距離モデルを規定することを含む。こうして主に、製造すべき眼鏡レンズが利用される個別的装用状況は記述される。
【００１９】
眼鏡レンズに入射する波面は次に眼鏡レンズの前面で主に１回目として屈折する。引き続き波面は主光線に沿って眼鏡レンズ内部で前面から後面へと伝搬し、そこで２回目として屈折する。眼鏡レンズ内を透過する波面は次に主光線に沿って眼鏡レンズの角膜前面にまで伝搬し、そこで再び屈折する。眼球内部で眼球水晶体に至るまで波面がさらに伝搬したのち、波面はそこで再び屈折し、最後に眼球網膜にまで伝搬する。個々の光学素子（眼鏡レンズ面、角膜前面、眼球水晶体）の光学特性に応じて、各屈折過程は波面の変形ももたらす。
【００２０】
網膜上の像点で物点の精確な結像を達成するために、波面は主に、その曲率が網膜との距離の逆数に正確に一致した収束球面波面として眼球水晶体から射出しなければならないであろう。しかしながら既に冒頭で触れたように、眼球のすべての視線方向について同時に、つまり少なくとも一つの最適化すべき眼鏡レンズ面のすべての視点について同時に眼球の屈折を完全補正することは一般に可能でない。従って主に、視線方向に応じて眼鏡レンズの意図的不調整が規定され、この不調整は応用状況に応じて特に眼鏡レンズの主要利用範囲内（例えば中央視点）では小さく、あまり利用されない範囲内（例えば周辺視点）では多少高い。この処理方式は原理的には従来の最適化方法から既に知られている。しかし従来の方法とは異なり本発明は、眼鏡レンズと眼球との間の一つの位置、例えば頂点球面で波面の評価を行うのでなく、個々に確定された眼球モデルに基づいて、眼球水晶体の背後に至るまでの波面の広範な計算を行い、合成波面の評価をそこで行うことを提案する。
【００２１】
好ましい一実施形態において波面の評価は眼球水晶体の後面で行われる。このことが特別有利であるのは、使用される個別的眼球モデルが眼球水晶体をなかんずくその面（前面および／または後面）によって記述するときである。別の好ましい一実施形態において評価は眼球水晶体の像側主平面で行われる。このことが特別有利であるのは特に、使用される個別的眼球モデルが眼球水晶体を主平面によって記述するときである。しかし特に眼球モデル内の眼球水晶体と網膜との間の別の位置も、合成波面の評価をそこで行うのに可能である。このため主に、光線軌跡中の適宜な位置で合成波面の局所導関数が計算され、規定された目標収差（不調整）の所望値とそこで比較される。眼鏡レンズの最適化すべき面の個々の視点にわたる目標収差の分布は、場合によっては重み付けと一緒に、公知方法と同様に眼鏡レンズの「設計」を具現する。
【００２２】
眼鏡レンズを最適化するために、合成波面の収差が規定された目標収差に一致するまで、つまり特に網膜上にその曲率中心のある球面波面から規定された収差値だけ相違するまで、眼鏡レンズの少なくとも一つの計算または最適化すべき面は反復修正される。この球面波面はここで参照波面とも称される。このため本方法は主に、特に冒頭で既に述べた目的関数と同様に目的関数Ｆを最小にすることを含む。特に高次収差を考慮するときの他の好ましい目的関数については以下でもなお説明される。
【００２３】
個々にモデル化された眼球内に至る、特に眼球水晶体の背後に至るまでの波面（ＷＦ）の追跡は、眼鏡レンズ調整精度の予期せぬ効率的改善をもたらす。従来常に仮定されたのとは異なり評価の平面もしくは面（例えば頂点球面）は従来の計算法において重要な役割を演じることが判明した。装用値と目標値との間の比較結果も、眼鏡レンズの調整精度に関して、従来の最適化法において想定されたよりも一層強くこの面に左右される。眼球の個別的モデル化と個々にモデル化された眼球内に至るまでの波面の完全計算とによって、本発明は眼球の前で波面を評価するための好適な一つの面を選択するというこの問題を回避する。その際特に判明したように、眼球内部で、特に個々にモデル化された眼球水晶体の背後で波面を評価するための位置／面を具体的に選択することは、屈折異常を前置して標準眼球の前で評価する従来の場合よりも、眼鏡レンズの調整に対してはるかに危険性が少ない。本発明を応用すると、波面を評価するのに最も好ましい面／平面を選択する議論はもはや強いられていない。
【００２４】
個別的眼球モデルの確認は主に、少なくとも片眼の角膜前面の個別的局所解剖データおよび／または個別的網膜位置ＬＡもしくは長さを収集することを含む。そのことに基づいて個別的眼球モデルの確認は主に、眼球モデル内の眼球が眼鏡装用者の収集された屈折データによる屈折を有することになるように眼球の水晶体（眼球水晶体）の度数を確認（特に計算）することを含む。つまりこの場合、眼球の光学度数（特に屈折力）を個々に個別に測定する必要はない。むしろ主に、屈折測定時に特定された眼球収差が角膜前面の局所解剖と眼球水晶体の光学度数とそれら相互の相対的位置と網膜に対するそれらの相対的位置との組合せによって特定されるものと考えられる。つまり角膜前面の局所解剖と眼球水晶体に対するその相対的位置と網膜の距離が規定されるや、屈折測定から光学屈折特性は、特に高次収差を含め、確認することができる。実施形態に応じて、眼球の幾何学的値、特に角膜および眼球水晶体の相対的位置（距離）、眼球長さ、もしくは眼球水晶体および／または角膜前面に対する網膜の相対的位置を個々に測定し、または個別的眼球モデルの作成時に規定されるそれらの標準値を規定することが可能である。好ましい一実施形態において、すべての眼球モデル用に等しく用いられる固定標準値が幾何学的値用に規定される。その場合眼球モデルの個別化は主に屈折および／または角膜局所解剖の個別的測定によって行われる。
【００２５】
別の好ましい一実施形態において眼球の屈折‐特に球面処方‐と眼球長さとの間の関数関係が規定される。このような関数関係は多くの眼鏡装用者の平均的経験値に依拠することができ、それによれば遠視眼はふつう近視眼とは別の長さを有する。その場合個別的眼球モデルの確認は主に、規定された一般的関数関係と個別的眼球屈折とから眼球長さを、もしくは眼球水晶体または角膜前面に対する網膜の相対的位置ＬＡを、個々に確認することを含む。
【００２６】
他の好ましい一実施形態において眼球の幾何学的値、特に眼球長さ、および／または角膜と眼球水晶体との間もしくは眼球水晶体と網膜との間の距離は、個々に測定される。他の幾何学的値、例えば角膜の厚さ、角膜後面の局所解剖または個々の水晶体面の局所解剖等に、そして光学パラメータ、例えば眼球内の個別素子の屈折率等にも、同様のことがあてはまる。それらは個々に測定することができ、或は標準値として規定することができる。
【００２７】
特別好ましくは、眼球モデルは三つの屈折面で確定され、これらの屈折面は特に眼球の角膜前面（cornea Ｃ）と水晶体前面（Ｌ１）と水晶体後面（Ｌ２）とを含む。その際特にGullstrand-EmsleyまたはBennett、Rabettsによる眼球モデルを基礎とすることができ、屈折面のパラメータは個々に確認もしくは確定される。正確に三つの屈折面を考慮することは特別効率的であることが判明した。こうして眼球モデルはごく良好な個別的調整可能性を得ると同時に十分に僅かな計算／モデル化支出を維持することになる。特に認識されたように、例えば角膜後面での屈折を特別に検討することは角膜厚が僅かであるためあまり重要でなく、無視し得るのであるが、それでもなお従来の計算方法、最適化方法に比べて本質的改善が達成される。
【００２８】
波面追跡時の最後の伝搬、つまり眼球水晶体の後面Ｌ２の頂点から網膜に至る伝搬は波論的観点のもとでのみ興味あるものであるので、幾何光学的観点のもとで有意な最後尾の位置はＬ２である。そこに至るまで（または選択的に眼球の射出瞳ＡＰに至るまで）、最大可能な有意性を得るために幾何光学的波面追跡が実行される。
【００２９】
頂点球面の検討に比べてこのような波面追跡の本質的進歩は、波面追跡が実際の装用光路中の眼球によって行われることにある。その代わりに、頂点球面での目標値‐実際値比較の基礎とされるアベロメータ測定の測定データは、場合によっては後の注視状況とは著しく異なることのある測定光路に由来する。自覚屈折の結果が取得される光路についても同じことがあてはまる。
【００３０】
この理由から、眼球を通る完全波面追跡時の目標値‐実際値比較は頂点球面での計算時の目標値‐実際値比較とは、装用光路が測定光路と相違する程度に当然に相違することがある。光路におけるこれらの相違は一般に視線方向に左右される。所定の眼鏡レンズが完全補正を達成する視線方向の場合、例えば（理想的には）ＢＦを通して注視するとき該当し得るようにそれらは一般に相違しない。ここで、両方の計算方式において目標値‐実際値比較はゼロ値を提供する。他方で両方の計算方式は、完全補正が損なわれるすべての注視方向に関して、場合によっては著しく異なる結果をもたらす。このことは、眼鏡レンズと眼球とによって生成される低次収差（ＬＯＡ）の検討にも高次収差（ＨＯＡ）の検討にもあてはまる。
【００３１】
波面追跡の実行には実質的に以下のステップが属する。
ａ）  測定データと屈折データとからモデル眼球の有意な全データを確認するステップ、つまり個別的眼球モデルを確定するステップ。
ｂ）  最適化すべき眼鏡レンズの特に装用状況におけるモデル眼球のデータに基づいて本来の波面追跡を実行するステップ。
【００３２】
モデル眼球のすべての有意データを確認するときの本質的問題は、Ｃ、Ｌ１、Ｌ２のすべてのデータと眼球内のすべての有意長さがまさに測定によって必ずしも予め既知でないことにある。Ｃのデータは確かに主に角膜測定に基づいて存在しているが、しかしＬ１、Ｌ２と眼球内のすべての有意長さとについては場合によっては暫定的に住民の平均値が知られているにすぎない。その場合に存在するＣ、Ｌ１、Ｌ２と長さとのデータは一般に眼鏡装用者の個々に確認された（ＨＯＡを含む）屈折異常に合致しておらず、もしくはこの段階では矛盾している。それゆえに主にこれらの平均データの幾つかははねつけられ、その代わりに個別的値が個別的屈折異常に適合される。所要数の自由度のゆえに特にＬ１および／またはＬ２がこのため考慮の対象となる。そのことから以下の好ましい処理方式が得られる。
１.  Ｌ１が適合され、Ｌ２用に平均値が用いられる（Ｌ１を“満たす”）。
２.  Ｌ２が適合され、Ｌ１用に平均値が用いられる（Ｌ２を“満たす”）。
３.  Ｌ１もＬ２も組合せて適合される。
【００３３】
従って処理方式は主に以下のとおりである。
１.  波面追跡は記号で実行され、式が数値で評価されることはない（上記ステップｂの第１部分）。主にこの波面追跡は複雑さのゆえに、３面眼球モデル内で交互する伝搬と屈折とを精確に考慮して純粋に記号で行われるのではない。諸項は、遅くともｎ＝４次以降、コンピュータ実装記号計算法の場合でも殆ど処理不能であろう。むしろそれに代えて主に伝搬と屈折が交互に追跡され、中間ステップにおいて（つまり特に界面での入射波面と出射波面として）数値が波面を（例えば６次までの）Taylor表現で記述するのに利用される。
２.  測定光路内での波面追跡の記号解の諸条件は屈折異常から生じ、Ｌ１またはＬ２のデータに従って解かれる（上記ステップａ）。
３.  波面追跡の記号解のなかでＬ１またはＬ２のデータが消去され、数値が挿入される（上記ステップｂの第２部分）。引き続き装用光路中で波面追跡が実行される。
【００３４】
伝搬と屈折とを記述するのに主に以下の関係が利用される。
【数２】
2015506499.tif 000004
【数３】
2015506499.tif 000005
【数４】
2015506499.tif 000006
【数５】
2015506499.tif 000007
【数６】
2015506499.tif 000008
【数７】
2015506499.tif 000009
【００３５】
さらに、当該曲率行列が検討されねばならない。
【数８】
2015506499.tif 000010
【００３６】
これらの関係でもって２次特性に関してＳの波面追跡、つまりＳ’のＬＯＡは次の結果をもたらす。
【数９】
2015506499.tif 000011
【００３７】
Ｓ＝Ｓｍｅｓｓが測定光路内で角膜に入射する波面の離接運動行列である（従って自覚屈折または他覚屈折のいずれかから直接特定することができる）特殊事例において、Ｓ’は網膜に収束する球面波に一致しなければならない。すなわち、
【数１０】
2015506499.tif 000012
【００３８】
式（２）は選択的にＬ１またはＬ２について解くことができる。
Ｌ１について式（２）を解くと、
【数１１】
2015506499.tif 000013
【００３９】
Ｌ２について式（２）を解くと、
【数１２】
2015506499.tif 000014
【００４０】
射出波面を含むＨＯＡは半径ｄＬＲの球面に一致しなければならない。すなわち、２次の拡張として妥当しなければならないのは、
【数１３】
2015506499.tif 000015
次に３次について妥当しなければならないのは、
【数１４】
2015506499.tif 000016
そして４次について、
【数１５】
2015506499.tif 000017
５次
【数１６】
2015506499.tif 000018
そして６次
【数１７】
2015506499.tif 000019
【００４１】
一般項が得られるのは球面
【数１８】
2015506499.tif 000020
を適宜に頻繁に導くことによってである。
【００４２】
上記式においてｄＣＬ、ｎＣＬ、ｄＬ、ｎＬ、ｄＬＲ、ｎＬＲはモデル眼球内の個々の素子（光学媒質）、特に角膜前面と第１水晶体面との間の光学媒質（添え字ＣＬ）、第１水晶体面と第２水晶体面との間の光学媒質（添え字Ｌ）、もしくは第２水晶体面と網膜との間の光学媒質（添え字ＬＲ）の厚さ（パラメータｄ）もしくは屈折率（パラメータｎ）を表す。
【００４３】
Ｌ１および／またはＬ２のＨＯＡの調整が達成されるのは主に方程式（７）〜（１０）を考慮し、Ｌ１もしくはＬ２の求める値について適宜に解くことによってである。
【００４４】
例えば、式（１）におけるような適宜な関係を高次についても導入するのが望ましい。例えば３次Ｓ’ｘｘｘを特定したい場合、G. Esser、W. Becken、W. Muller、P. Baumbach、J. Arasa、D. Uttenweiler：“Derivation of the refraction equations for higher order aberrations of local wavefronts at oblique incidence”、JOSA A、Vol. 27、No. 2（2010）（以下で「参照［１］」とも称する）の式（７４）を屈折に関して使用し、G. Esser、W. Becken、W. Muller、P. Baumbach、J. Arasa、D. Uttenweiler：“Derivation of the propagation equations for higher order aberrations of local wavefronts”、JOSA A、Vol. 28、No. 11（2011）（以下で「参照［２］」とも称する）の式（５５）を伝搬に関して使用することができる。さらに例えば、添え字“xxy”、“xyy”、“yyy”を有するすべての別の値が消滅すべきであると仮定すると、射出する離接運動のＨＯＡ用の“xxx”成分は
【数１９】
2015506499.tif 000021
として特定することができ、式中
【数２０】
2015506499.tif 000022
【００４５】
Ｓｘｘｘ＝Ｓｍｅｓｓ、ｘｘｘが測定光路内の、角膜に入射する波面の３次成分である（従って自覚屈折または他覚屈折のいずれかから直接特定することができる）特殊事例において、式（７）もしくは式（１１）は射出する球面波に関してＬ１、ｘｘｘまたはＬ２、ｘｘｘについて解くことができる。これから得られるのは
【数２１】
2015506499.tif 000023
もしくは
【数２２】
2015506499.tif 000024
【００４６】
式（１３、１４）に鑑み、一般にＬ１またはＬ２の高次成分をそんなに容易に特定できるのかとの疑問が生じる。それが実際に該当する。その理由は、参照［１］の式（７４）も伝搬に関して参照［２］の式（５５）も、各最高次数では直線的であるという特徴を有し、残りの項が含むのは先行次数よりも少なくとも１低い値のみであることにある。これにより、２次（例えばＬ１）の成分が既知である場合、３次の成分はすべて残りなく特定することができる。それに基づいて次に４次成分等々の計算が行われる。Ｌ１またはＬ２の全成分の解は４次までを含めコンピュータ内に記号で実装することもできる。しかし好ましい一実施形態において、複雑さが増すので、それでもなお既に３次以降のすべての解のための諸項の数値評価が行われる。
【００４７】
値の一つＬ１またはＬ２を測定値に適合させる場合、例えば住民平均に関する文献から読み取ることのできる別の仮定を介して措置しなければならない。それゆえに、低品質の情報が存在する水晶体部分を調整するのが有利である。
【００４８】
Ｌ１またはＬ２が同じく文献から十分に読み取ることができるとしても、それでもなお、両方の水晶体面のいずれを調整するのかは重要でなくはない。式（２）をＬ１またはＬ２の成分について演繹し、“Bennett、Rabbetts“眼球の平均値（添え字φ）と正視屈折とについて評価すると、Ｌ１の成分が一層敏感に、しかも約係数１．４だけ、Ｓ’に入り込むという結果が得られる。Ｌ１の成分について得られるのは
【数２３】
2015506499.tif 000025
Ｌ２の成分については
【数２４】
2015506499.tif 000026
Ｌ１またはＬ２を優先する場合ＬＯＡが決定的であるとの仮定から出発すると、この理由から適合にはＬ１が容易に優先される。
【００４９】
具体的屈折結果、収差測定データ、角膜局所解剖データが存在する場合、いまやそれを基に波面追跡を行うことができる。
【００５０】
つまり好ましい一実施形態において個別的眼球モデルの確定は、入射波面から射出波面への変化が収集された屈折データを記述することになるように、確定すべき個別的眼球モデルの第１屈折面に入射する波面と確定すべき個別的眼球モデルの最終屈折面から射出する波面とを特定することを含む。特別好ましくは、入射波面が球面波面として特定される一方、射出波面は少なくとも片眼の屈折データを表す。特別好ましくは、入射波面はモデル眼球の網膜上の一点から射出しかつ（第１屈折面としての）後側水晶体面Ｌ２に入射する球面波面として特定される一方、モデル眼球の角膜前面は最終屈折面として確定され、この最終屈折面から射出する波面は真眼球の収差測定時に確認された波面収差にその波面収差が一致したものである。こうしてモデルにおいて真の収差測定がごく正確に再現される。
【００５１】
それとともに個別的眼球モデルの確定は主に、屈折率の異なる多数の光学媒質（モデル眼球の素子）の間の界面として多数の屈折面を確定することを含む。既に上で述べたように、三つの屈折面、特に角膜前面と水晶体前面と水晶体後面とを有する眼球モデルが特別適している。それとともにこれらの屈折面はモデル眼球の隣接する個々の素子（角膜、水晶体、硝子体）を相互に分離する。特別好ましい一実施形態において個別的眼球モデルの確定は特に、屈折面によって相互に分離されるモデル眼球素子のそれぞれについて主に波長依存屈折率（ばらつき）を確定することを含む。
【００５２】
それとともに個別的眼球モデルの確定は主に、モデル眼球の多数の屈折面によって引き起こされる波面収差が眼鏡装用者の眼球で実際に測定された収差に一致することになるように、（眼球モデルの）モデル眼球の多数の屈折面を特定することを含む。このため特に、実際の測定が行われた光の波長も考慮される。このことは、モデル眼球の個々の素子のばらつきを考慮することと合わせて特別好ましい。収差測定はごく頻繁に例えば赤外光で実行される。これで測定された収差は測定波長における真眼球に正確に一致している。しかしこの収差が、真眼球内の個々の媒質のばらつきのゆえに、後の眼鏡利用時の光（可視光）の波長における収差と一致しない限り、十分に調整された眼鏡を作製するために、測定された収差の適宜な補正を行わねばならない。この問題は既に久しく知られている。従来のアベロメータは一般にこの補正を既に一括して、つまり個々の生理的パラメータを考慮することなく一緒に算入し、しばしば相応に修正された収差値を出力するだけである。
【００５３】
しかし本発明を頼りに好ましい一実施形態において、少なくともモデル眼球の個々の屈折面の個々に特定された面曲率にわたって収差の波長依存性の考慮をやはり個々に行うことによって、個別的計算と最適化を著しく改善することがいまや可能である。本発明に係る処理方式でもって、一括して修正された収差を最適化のため考慮することがもはや必要でない。むしろ主に個別的眼球モデル確定時に真眼球の収差の精確な測定データは、測定されたこれらの収差をまさに引き起こし、しかも特に測定が行われたまさに波長において引き起こすようにモデル眼球を確定するのに援用される。このためモデル眼球の個々の素子（例えば角膜、水晶体、硝子体）についてそれぞれ屈折率の波長依存性（ばらつき）が規定される。その際、このばらつきを個々に確認することはまったく必要ない。その代わりに既知ばらつきまたはばらつきモデルの文献値を頼りとすることができる。個々の屈折面の距離および／または曲率は人物毎にもしくは眼球毎に著しく相違することがあるが、それとは異なり、眼球内の個々の媒質に関する屈折率およびそのばらつきの人物毎の変化は大抵ごく僅かであり、本発明の好ましい一実施形態の枠内で無視することさえできる。しかし屈折面の異なる面曲率は眼球の総屈折特性の波長依存性に個々に明確に影響することがある。
【００５４】
収差測定の測定波長（例えば赤外線）に関して屈折面が測定された収差をまさにもたらすことになるように屈折面が調整されると、この（つまり屈折面の位置および曲率が確認された）モデル眼球は個々の媒質について考慮されたばらつきに基づいて可視光に対する真眼球の挙動も自動的にごく良好に再現する。真眼球の収差が既に従来の測定によって特定され、これらの収差が従来方法で既に一括して補正され、こうして測定波長とは別の波長において近似収差をもたらす場合、まず測定波長で測定された原収差に逆算することによって、こうして入り込んだ誤差を再び取り除くのが特別好ましい。これらの収差から次に、既に述べたように個別的眼球モデルは特定することができる。それとともに次に可視光への変換はモデル眼球の個々の素子のばらつきを考慮することを介して個々に行われる。
【００５５】
つまり全体として特別好ましいのは、まず、多数の屈折面の主に位置および／または曲率のパラメータに基づいて個別的モデル眼球が確定され、次に例えば波面追跡法に基づいて上記の如くに真眼球の収集された屈折データを考慮してこれらのパラメータが個々に確認されるときである。その際特別好ましくは、モデル眼球の個々の屈折面での屈折率変化の波長依存性もしくは個々の光学素子の屈折率の波長依存性が予め確定される。個々の眼球素子のばらつきの好ましい例はなかんずくBennett & Rabbetts‘ “Clinical Visual Optics”、Butterworth Heinemann（2007）（例えばその１５章、節“Chromatic aberrations”）に述べられており、またはD. A. Atchison、G. Smithの刊行物“Chromatic dispersions of the ocular media of human eyes”、J. Opt. Soc. Am. A、Vol. 22、no. 1にも述べられている。
【００５６】
換言するなら個別的眼球モデルの確定は主に、少なくともその一つがパラメータセットによって記述される多数（主に三つ）の屈折面を規定することを含む。これらのパラメータは例えば（記号の形の）曲率行列の上記要素とすることができる。特に例えば両方の水晶体面の少なくとも一方Ｌ１またはＬ２はこうして記述できる一方、場合によっては別の屈折面は固定規定される。この規定はすべての眼球について同一に行うか、或は他の測定（例えば角膜前面）に基づいて個々に行うこともできる。次にパラメータセットについて個別値は、眼球モデルの眼球が収集された屈折データを有することになるように確認される。これは例えばＬ１についての上記方程式（４）もしくはＬ２についての上記方程式（５）に基づいて行うことができる。
【００５７】
他の一態様において特別好ましくは、少なくとも片眼の屈折データの収集が測定波長の光によって屈折データを測定することを含む。その際やはり好ましくは、個別的眼球モデルの確定は、
【００５８】
個別的眼球モデルの少なくとも一つの光学素子（例えば角膜および／または水晶体および／または硝子体）の屈折率（ｎ）の波長依存性を確定することを含み、
【００５９】
確定された波長依存性と測定波長とにおいて眼球モデルの眼球が測定された屈折データを有することになるように光学素子の幾何学形状（例えば屈折面の位置および／または曲率）を確認することを含む。
【００６０】
好ましい一実施形態において合成波面（ｗｅ）の確認は波面追跡によって行われる。その際特に個々の界面での波面の屈折は、さまざまな界面間での波面の伝搬と同様に、波面の曲率を記述するパラメータの変換によって行われる。
【００６１】
別の一実施形態において、特に二つの屈折面の間での波面の伝搬を計算するために光線追跡（Ray-Tracing）が実行される。
【００６２】
好ましい一実施形態において合成波面の確認は、
眼鏡レンズの第１面で（主光線の周辺において）屈折する波面を、規定された球面波面（ｗ０）と規定された第１面とから計算することと、
眼鏡レンズを通して主光線に沿って伝搬する波面を、第１面で屈折する計算された波面から計算することと、
眼鏡レンズの第２面で（主光線の周辺において）屈折する波面（ｗｇ１）を、眼鏡レンズ内を伝搬する計算された波面と規定された第２面とから計算することと、
主光線に沿って角膜前面へと伝搬する波面（ｗｇ２）を、第２面で屈折した計算された波面（ｗｇ１）から計算することと、
角膜前面で（主光線の周辺において）屈折する波面を、角膜前面へと伝搬する計算された波面（ｗｇ２）と個別的眼球モデルによって確定された角膜前面の局所解剖とから計算することと、
主光線に沿って水晶体へと伝搬する波面を、角膜前面で屈折した計算された波面から計算することと、
水晶体によって（主光線の周辺において）屈折する波面（ｗｅ）を、水晶体へと伝搬する計算された波面と個別的眼球モデルによって確定された水晶体の度数とから計算することを含む。
【００６３】
実施形態に応じて、水晶体で屈折したこの波面は合成波面として直接援用することができ、または合成波面を得るために水晶体で屈折した波面の伝搬が再度計算される。
【００６４】
波面の計算とその評価が行われる主光線周辺は主に、個々に特定（測定）された瞳孔寸法に従って選択される。周辺は特に、さまざまな視点（従ってさまざまな物体距離）について異なるように選択することができる。
【００６５】
少なくとも片眼の屈折データの収集は主に、眼球の球面度数ＳｐｈＶ、非点収差値ＺｙｌＶ、非点収差軸ＡｃｈｓｅＶおよび少なくとも一つの他の高次屈折ＨＯＡＶに関するデータを収集することを含む。
【００６６】
特別好ましくは、高次収差も最適化において考慮される。その際本方法は主に処方データもしくは屈折データＶを収集することを含み、処方データは球面度数ＳｐｈＶ、非点収差値ＺｙｌＶ、非点収差軸ＡｃｈｓｅＶおよび少なくとも一つの他の規定された高次屈折ＨＯＡＶに関するデータを収集することを含む。
【００６７】
高次収差はさまざまな仕方で目的関数において考慮することができる。好ましい一実施形態において本方法は、高次収差の値を明確に考慮する目的関数を例えば
【数２５】
2015506499.tif 000027
の形で最小にすることを含む。
ＲＩｓｔ（ｉ）：眼鏡レンズ付き眼球モデルのｉ番目の評価点における実際の屈折誤差、すなわち個別的眼球モデル内でｉ番目の視点（評価点）で（つまり眼球水晶体の背後で）帰結する合成波面の球面成分と参照波面（つまり網膜上に収束する球面波面）との偏差、
ＲＳｏｌｌ（ｉ）：ｉ番目の評価点で要求される屈折誤差（設計規定）、
ＧＲ、ｉ：ｉ番目の評価点で屈折誤差の重み付け（設計規定）、
ＡＩｓｔ（ｉ）：個別的眼球モデル内のｉ番目の評価点での合成波面の実際の非点収差成分、
ＡＳｏｌｌ（ｉ）：ｉ番目の評価点で要求される非点収差不調整（設計規定）、
ＧＡ、ｉ：ｉ番目の評価点で非点収差不調整を重み付け（設計規定）、
そして付加的に
ＣＩｓｔ（ｉ）：個別的眼球モデル内のｉ番目の評価点での合成波面の実際のコマ収差、
ＣＳｏｌｌ（ｉ）：ｉ番目の評価点で要求されるコマ収差（設計規定）、
ＧＣ、ｉ：ｉ番目の評価点でコマ収差の重み付け（設計規定）、
ＳＩｓｔ（ｉ）：ｉ番目の評価点での合成波面の実際の球面収差、
ＳＳｏｌｌ（ｉ）：ｉ番目の評価点で要求される球面収差（設計規定）、
ＧＳ、ｉ：ｉ番目の評価点で球面収差の重み付け（設計規定）。
【００６８】
しかし目的関数を高次収差の項だけ拡張すると、解くべき方程式系の冗長度が高まり、これにより幾つかの事例では最適化方法の安定性が劣化することがある。それゆえに、他の好ましい一実施形態において、目的関数内で合成波面を評価するとき高次収差を、設計からの独自の規定を有する独自の項として明確に目的関数に含めるのでなく、変換された球面円柱値の形で考慮することが提案される。その場合本方法は主に、屈折異常と合成波面の非点収差成分との変換された値を介して高次収差の値が暗示的に考慮される目的関数を例えば
【数２６】
2015506499.tif 000028
の形で最小化することを含む。
ＲＩｓｔ、ｔ（ｉ）：ｉ番目の評価点での眼鏡レンズ付き眼球モデルの変換された屈折誤差、すなわち個別的眼球モデル内でｉ番目の視点（評価点）で（つまり眼球水晶体の背後で）帰結する合成波面の球面成分と参照波面（つまり網膜上に収束する球面波面）との変換された偏差、
ＲＳｏｌｌ（ｉ）：ｉ番目の評価点で要求される屈折誤差（設計規定）、
ＧＲ、ｉ：ｉ番目の評価点で屈折誤差の重み付け（設計規定）、
ＡＩｓｔ、ｔ（ｉ）：個別的眼球モデル内のｉ番目の評価点での合成波面の変換された非点収差成分、
ＡＳｏｌｌ（ｉ）：ｉ番目の評価点で要求される非点収差不調整（設計規定）、
ＧＡ、ｉ：ｉ番目の評価点で非点収差不調整の重み付け（設計規定）。
【００６９】
つまり合成波面は主光線の周辺において主に（円柱＋乱視軸、つまり非点収差を含むまでの）低次ゼルニケ多項式によって近似される。その際、主光線の周りでのゼルニケ展開の係数が波面収差値として目的関数に直接含まれるのではない。その代りに、主光線の周りの周辺でも波面近似を考慮する変換された低次係数値が用いられる。
【００７０】
好ましい実施形態において、変換された球面円柱屈折が（マイナス円柱表記で）高次収差にどのように依存しているのかを示すために、主に以下の関数が用意される。
【数２７】
2015506499.tif 000029
でもって
【数２８】
2015506499.tif 000030
【００７１】
高次収差が少なくとも明確には球面円柱値の変換に援用されない一実施形態において、変換された屈折は主に次式によって与えられる。
【数２９】
2015506499.tif 000031
式中、
【数３０】
2015506499.tif 000032
はＯＳＡ標準の表記法において波面の２次ゼルニケ係数を表し、ｎ≧３の
【数３１】
2015506499.tif 000033
は高次ゼルニケ係数を表す‐例えば、Jason Porter et al. “Adaptive Optics for Vision Science“、Wiley（2006）、522頁参照。値ｒ０は瞳孔半径である。このため本方法は主に瞳孔半径ｒ０を収集することを含む。本方法はさらに主に２次ゼルニケ係数
【数３２】
2015506499.tif 000034
を確認することを含む。
【００７２】
変換された球面円柱屈折の特定時に、つまり第２の二次係数に依存した球面円柱値の変換時に高次収差を考慮した好ましい一実施形態は、
【数３３】
2015506499.tif 000035
によって与えられている。
【００７３】
これに代わる他の好ましい一実施形態は、
【数３４】
2015506499.tif 000036
によって与えられている。
【００７４】
他の好ましい一実施形態は、
【数３５】
2015506499.tif 000037
によって与えられている。
【００７５】
多少一層一般的に、好ましい一実施形態は関数
【数３６】
2015506499.tif 000038
によって与えられている。式中、変化
【数３７】
2015506499.tif 000039
は、波面の高次ゼルニケ係数
【数３８】
2015506499.tif 000040
の関数（特に連続関数）であり、ｎ≧３である。
【００７６】
特別好ましくは屈折データの収集は、第１物体距離に関する第１屈折データと第２物体距離に関する第２屈折データとを収集することを含む。それとともに特に、瞳孔寸法に対する物体距離の影響を考慮することができる。瞳孔寸法の変化はなかんずく高次収差に影響する。
【００７７】
主に本方法はさらに、
物体距離モデルＡｌ（ｘ、ｙ）を規定することを含み、Ａｌは物体距離を表し、（ｘ、ｙ）は規定された視線方向または規定可能な視線方向における眼鏡レンズの視箇所もしくは視点を表し、
物体距離Ａｌに対する瞳孔寸法ｒ０の依存性を記述する関数ｒ０＝ｇ（Ａｌ）を規定することを含み、
物体距離モデルＡｌ（ｘ、ｙ）と規定された関数ｒ０＝ｇ（Ａｌ）とに基づいて少なくとも一つの主光線に関する瞳孔寸法を確認することを含む。
【００７８】
最適化すべき眼鏡レンズは主に累進屈折力眼鏡レンズである。
【００７９】
他の一態様において本発明が提案するのは眼鏡装用者の少なくとも片眼用に眼鏡レンズを計算または最適化する装置であって、
眼鏡装用者の少なくとも片眼の屈折データを収集するデータインタフェースを含み、
個別的眼球モデルを確定するモデル化モジュールを含み、収集された屈折データを眼球が有することになるようにこのモデル化モジュールが少なくとも、
少なくとも片眼の角膜前面の局所解剖と、
眼球水晶体の位置および度数と、
眼球の網膜位置を確定し、
計算もしくは最適化すべき眼鏡レンズの第１面と第２面とを規定する面モデルデータベースを含み、
眼鏡レンズの計算または最適化すべき少なくとも一つの面の少なくとも一つの視点（ｉ）を通る主光線の軌跡を確認する主光線確認モジュールを含み、
主光線に沿って眼鏡レンズの第１面に入射する球面波面（ｗ０）を規定する物体モデルモデル化モジュールを含み、
眼鏡レンズの少なくとも第１面および第２面と少なくとも片眼の角膜前面および水晶体との度数によって主光線の周辺で球面波面から帰結する少なくとも片眼の合成波面（ｗｅ）を確認する波面計算モジュールを含み、
合成波面の収差が規定された目標収差に一致するまで眼鏡レンズの計算または最適化すべき少なくとも一つの面を反復修正するように設計された最適化モジュールを含む。
【００８０】
本発明はさらに、好ましい一実施形態において特に、コンピュータにロードされかつ実行されるとき、本発明に係る眼鏡レンズ計算方法または最適化方法を実行するように設計されたコンピュータプログラム製品を提案する。
【００８１】
本発明はさらにコンピュータプログラムを記憶した記憶媒体を提案し、好ましい一実施形態において特に、このコンピュータプログラムは、コンピュータにロードされかつ実行されるとき、本発明に係る眼鏡レンズ計算方法または最適化方法を実行するように設計されている。
【００８２】
本発明がさらに提案する眼鏡レンズ製造方法は、
好ましい一実施形態において特に、本発明の一つに係る眼鏡レンズ計算方法または最適化方法に従って眼鏡レンズを計算または最適化することと、
こうして計算または最適化された眼鏡レンズを作製することを含む。
【００８３】
本発明がさらに提案する眼鏡レンズ製造装置は、
好ましい一実施形態において特に、本発明に係る眼鏡レンズ計算方法または最適化方法に従って眼鏡レンズを計算または最適化するように設計された計算手段または最適化手段と、
眼鏡レンズを仕上げ加工するように設計された加工手段を含む。
【００８４】
本発明はさらに、好ましい一実施形態において特に、本発明に係る製造方法に従って製造された眼鏡レンズを、特定眼鏡装用者の眼球の前で眼鏡レンズの規定された平均的装用位置または個別的装用位置において眼鏡装用者の屈折異常を補正することに使用することを提案する。
【００８５】
本発明の好ましい実施形態は以下で添付図面を参考に例示的に解説される。
【図面の簡単な説明】
【００８６】
【図１】図１は眼鏡レンズの生理的、物理的モデルを、規定された装用位置での光線軌跡と一緒に示す略図である。
【図２】図２は原波面と伝搬波面とを有する座標系の略図である。
【図３】図３は離接運動距離ＳＰを有する伝搬波面から距離ｄを置いた離接運動距離Ｓ０を有する球面波面の略図である。
【図４】図４は本発明の一実施例に係る個別的眼鏡レンズ最適化方法を示す流れ図である。
【発明を実施するための形態】
【００８７】
眼鏡レンズ‐眼球系の収差を記述し計算するための眼鏡レンズと眼球屈折不足とから成る定評あるモデルに依拠した従来の最適化方法とは異なり、本発明は、まったく新規で個別的な眼球モデルに基づいて具体的に記述することのできる方法を提案する。本発明に係るアプローチにおいて波面は、個別的眼球モデルを具現する他の光学屈折面もしくは素子を通過後にはじめて評価される。波面収差の評価と、眼鏡レンズと眼球とを通した結像時の注視に対する波面収差の影響は、この個別的眼球モデルにおいて、本発明に係る個別的眼球モデルの結像系における最終屈折後にはじめて行われる。
【００８８】
それとともに眼鏡レンズ最適化時や製造時にはじめて、眼球射出瞳内での高次収差を含む有効収差はすべて直接考慮することができる。つまり特に、本発明では主に合成波面の計算時に高次収差に対する角膜前面および眼球水晶体の影響も考慮される。合成波面の評価時にはじめて主に球面円柱組合せへの変換、つまり高次収差を一緒に含む変換された１次収差、２次収差への変換が行われる。安定しかつ迅速に収束する最適化プロセスのためのこの変換の好ましい例は上で既に指摘してある。
【００８９】
従来の最適化方法ではこのような変換（つまり適宜な波面評価）は、同様に安定した仕方で目的関数を評価できるようにするために眼球の頂点球面または入射瞳で既に行わねばならない。それとともに高次収差に対する角膜前面および／または眼球水晶体の影響はもはや同様には考慮することができない。しかし本発明の枠内で認識されたように、まさにそのことによって、特に眼球が無視し得る高次収差をもはや持たないとき、眼鏡レンズの個別的調整の本質的改善は可能である。しかし大きな高次収差をそれ自身何ら持たない眼球が製造すべき眼鏡レンズによって引き起こされる高次波面収差に及ぼす影響でさえ、本発明に係るアプローチでもってはじめてごく効率的に考慮することができる。
【００９０】
好ましい一実施形態において、所定の物点から主光線に沿って眼鏡レンズ、眼球角膜、眼球前室および眼球水晶体を通して眼球の網膜もしくは射出瞳に至る波面伝搬は視点（評価点）毎に計算される。その際本方法は詳細には主に以下の計算ステップを含む。
１.  眼鏡レンズの１視点について物点から眼球支点を通る主光線を追跡するステップ。このステップは従来の光線追跡法における当該計算と同様に行うことができる。
２.  眼鏡レンズ前面で物点から出発する球面波面を準備するステップ。その際、波面曲率は眼鏡レンズ前面からの物点距離の逆数に等しい。こうして物点は球面波面の中心点となる。
３.  前面通過後に主光線周辺の屈折波面を計算するステップ。
４.  眼鏡レンズを通して後面まで通過後に主光線周辺の伝搬波面を計算するステップ。
５.  後面通過後に主光線周辺の屈折波面を計算するステップ。
６.  眼鏡レンズ後面から角膜前面（cornea前面）まで伝搬後に主光線周辺の伝搬波面を計算するステップ。
７.  角膜前面通過後に主光線周辺の屈折波面を計算するステップ。
８.  角膜を通して角膜後面まで通過後に主光線周辺の伝搬波面を計算するステップ。
９.  角膜後面通過後に主光線周辺の屈折波面を計算するステップ。好ましい一実施形態において角膜後面は球状面と見做される。
１０.  眼球水晶体にまで伝搬後、つまり眼球前室内を伝搬後に主光線周辺の伝搬波面を計算するステップ。
１１.  眼球水晶体通過後に主光線周辺の屈折波面を計算するステップ。好ましい一実施形態においてこのステップは、特に水晶体前面での屈折、眼球水晶体内での伝搬および水晶体後面での屈折を計算するための複数の部分ステップをやはり含む。
１２.  眼球水晶体から射出する波面（合成波面）を評価するステップ。この評価は特に目的関数を適宜評価することによって行われる。
【００９１】
図１は規定された装用位置における眼鏡レンズの生理的、物理的モデルを例示的光線軌跡と一緒に示す略図であり、このモデルが本発明の好ましい一実施形態による個別的眼鏡レンズ計算もしくは最適化の基礎とされている。
【００９２】
その際、眼鏡レンズの視点ごとに主に単一の光線（主に眼球支点Ｚ’を通る主光線１０）のみが計算され、但しそれに伴ってさらに横断（主光線に垂直な）座標に従って波面の頂点深さの導関数も計算される。これらの導関数は指定次数に至るまで考慮され、第２導関数は波面の局所曲率特性を記述し、高次導関数は高次収差と関連している。
【００９３】
眼鏡レンズを通して個別的に用意された眼球モデルによる眼球１２内にまで光を追跡するとき波面の局所導関数は最終的に光線軌跡内の一つの好適な位置で確認され、そこで、眼球１２の網膜上にその曲率中心がある球面波面と比較される。好ましい一実施形態においてこの位置は例えば眼球水晶体２０の後面および／または眼球１２の射出瞳であり、これらは例えば距離ＬＡを置いて網膜の前にある。
【００９４】
このため、球面波面ｗ０が物点から出発して第１眼鏡レンズ面１４まで伝搬すると仮定される。そこで球面波面は屈折し、引き続き第２眼鏡レンズ面１６にまで伝搬し、そこで再び屈折する。眼鏡レンズから射出する波面ｗｇ１は引き続き主光線に沿って眼球１２の方向に伝搬（伝搬波面ｗｇ２）して角膜１８に入射し、そこで再び屈折する（波面ｗＣ）。眼球前室内を眼球水晶体２０にまでさらに伝搬したのち、波面は眼球水晶体２０によってもやはり屈折し、これにより例えば眼球水晶体２０の後面または眼球の射出瞳に合成波面ｗｅが生じる。この合成波面が球面参照波面ｗＳと比較され、偏差はすべての視点について目的関数内で（主に、個々の視点について当該重みで）評価される。
【００９５】
かくして屈折異常はもはや従来方法で一般的であったような薄い球面円柱水晶体によってのみ記述されるのでなく、主に角膜局所解剖と眼球水晶体と眼球内の距離と眼球内での波面の（低次収差‐つまり球面屈折力、円柱屈折力、乱視軸位置‐を含む）変形が直接考慮される。それが（例えばＩＯＬマスタ測定から）既知である場合、眼球内の実際の距離が用いられる。さもない場合、文献から既知の眼球モデル（グルストランド眼球、インディアナ眼球モデル、長さに関係した非正視眼等々）を頼りとすることができる。例えばここではAtchinson、Smith、“Optics of the Human Eye“、Butterworth Heinemann（2000）を参照するように指示する。そこでは例えば特に長さ（例えば光学素子間の距離、眼球長さ）、面屈折力、屈折率等々に関する例示的値が示されており、これらの値は‐当該値が個々に計測されず、個別的眼球モデル内で考慮されない限り‐個別的眼球モデルの完全化のため援用することができる。
【００９６】
アベロメータ測定は主に、遠用、近用の実際の非正視眼の個別的波面変形（偏差、絶対的屈折力ではない）と個別的薄明視瞳孔直径、明所視瞳孔直径とを提供する。角膜局所解剖の測定（角膜前面の平面的計測）から得られる実際の個別的角膜前面は一般に眼球の総屈折力のほぼ７５％を占める。好ましい一実施形態において、角膜後面を計測することは必須でない。角膜後面は主に、房水との屈折率差が小さいので、球面屈折力と十分な近似で記述される。
【００９７】
主に、眼球水晶体は独自に個別計測されるのではない。その代わりに主に、測定された波面収差が眼球内の規定された距離と測定された角膜局所解剖とで生じることになるように眼球水晶体は計算される。その場合眼球水晶体は例えばアトーリック面と球状面とを有する均質水晶体と考えることができる。しかし眼球水晶体の不均質構造を有する文献で論議されたモデル（屈折率分布形レンズ）もこの場合用いることができる。これは主に少なくとも遠用測定と近用測定とで個別に実施され、主に、好適な例えば線形補間によって各調節状態もしくは物体距離用の柔軟な眼球モデルが得られる。
【００９８】
それとともに、眼鏡レンズ最適化時に網膜結像品質に対する波面変形の影響を最良に考慮しかつ誤差を最小にすることがはじめて可能となる。
【００９９】
次に本発明の好ましい一実施形態による波面伝搬を以下で詳しく解説する。これらの実施は例えば両方の眼鏡レンズ面１４、１６間での波面伝搬、および／または後側眼鏡レンズ面１６から角膜前面１８に至る波面伝搬、および／または角膜内部での伝搬、および／または角膜と眼球水晶体２０との間での伝搬、および／または眼球水晶体内部での伝搬、および／または眼球水晶体２０と眼球１２の網膜との間での伝搬に応用可能である。
【０１００】
図２に示したように、主に（ｘ軸、ｙ軸、ｚ軸を有する）直角座標系が定義され、その原点は規定された主光線１０の場合主光線１０と原波面２２との交点にある。ｚ軸は主に主光線１０の方向を向いている。ｘ軸の方向とｙ軸の方向は主に、座標系が右回りとなるようにｚ軸に垂直かつ相互に垂直に選択される。原波面において屈折面の波面から出発し、つまり例えば眼鏡レンズまたは角膜前面１８の表面１４、１６の波面から出発する場合、ｘ軸および／またはｙ軸は主に主光線透過点の面もしくは面接線と平行に選択される。別の好ましい一実施形態においてｘ軸とｙ軸は原波面１８の主曲率と平行に選択される。
【０１０１】
主に、
【数３９】
2015506499.tif 000041
による波面の記述から出発され、式中、値ｗ（ｘ、ｙ）は係数
【数４０】
2015506499.tif 000042
を用いて
【数４１】
2015506499.tif 000043
によって表される。
【０１０２】
それとともに係数
【数４２】
2015506499.tif 000044
と局所収差
【数４３】
2015506499.tif 000045
との間の関係は
【数４４】
2015506499.tif 000046
によって記述することができる。
【０１０３】
２次までの収差の場合、主光線周辺の原波面の離接運動Ｓo＝ｎ／ｓoを有する球面波面の伝搬は主に周知の如くに伝搬方程式
【数４５】
2015506499.tif 000047
によって表現することができ、式中、Ｓｐ＝ｎ／ｓｐは伝搬波面の離接運動を表す。図３に示したように、ｓoとｓｐは原波面１８もしくは伝搬波面２０の頂点距離（例えば波面から物点２６に至る主光線１０に沿った距離）を表す。ｎは屈折率、ｄは伝搬距離を表す。
【０１０４】
波面の球面円柱形状は３次元に拡張することによって以下の如くに表すことができる。まず、曲率１／ｓoと１／ｓｐが原波面１８もしくは伝搬波面２０の頂点深さの第２導関数と同一視される。３次元表現において第２導関数
【数４６】
2015506499.tif 000048
と
【数４７】
2015506499.tif 000049
は、原波面１８と相応に伝搬波面２０とについてそれぞれ離接運動行列の形でまとめられる。
【数４８】
2015506499.tif 000050
【０１０５】
その際、各離接運動行列の諸成分は
【数４９】
2015506499.tif 000051
に従って（そして伝搬波面についてと同様に）球面度数Ｓｐｈ、円柱度数値Ｃｙｌ、円柱度数の乱視軸位置αの既知値と関連している。離接運動行列の形での表現を用いて、方程式（４）と同様に、非点収差波面の伝搬は単位行列
【数５０】
2015506499.tif 000052
を有する一般化した伝搬方程式
【数５１】
2015506499.tif 000053
を介して表現することができる。離接運動行列の形でのこの表現と等価に、３次元ベクトル空間内で原波面２２と伝搬波面２４とについてパワーベクトルとして以下を挿入することができる。
【数５２】
2015506499.tif 000054
【０１０６】
波面伝搬時の高次収差を考慮するためにｋ＋１次元の当該ベクトルｅｋを挿入することができる。
【数５３】
2015506499.tif 000055
【０１０７】
しかしながら、波面の記述に基づいてその局所導関数を介して屈折と伝搬を行うことは必ずしも必須ではない。選択的に、例えば屈折のみは波面の記述を用いて行い、それに対して伝搬は従来の仕方で例えばＷＯ２００８／０８９９９９Ａ１で行われたように光線追跡によって行うことも基本的に可能であろう。但しこの文献では波面もしくは光線追跡の評価が本発明に係る処理方式とは異なりやはり確立した従来の仕方で例えば眼球の頂点球面または入射瞳で行われている。
【０１０８】
図４は眼鏡レンズを個別的に最適化する例示的方法を示している。その際主に眼鏡レンズの高次収差（ＨＯＡ:higher order aberrations）も眼球の高次収差も考慮される。
【０１０９】
眼鏡装用者の眼球の個別的屈折特定ＳТ２０時に主に球面屈折力、円柱屈折力および乱視軸位置の値、特に遠用および近用の値が自覚的に特定されるだけでなく、例えばゼルニケ係数
【数５４】
2015506499.tif 000056
によって記述される高次収差がアベロメータで付加的に特定される。主に、個別的屈折の確認ＳТ２０はさらに、特に視線方向もしくは物体距離に依存した個別的瞳孔寸法を確認することを含む。
【０１１０】
図示した好ましい実施形態においてさらに、眼球の角膜前面の個別的局所解剖が測定される（ＳТ２２）。眼球のその他の幾何学データ、例えば角膜前面と眼球水晶体との間の距離、および／または網膜からの眼球水晶体の距離、および／または角膜後面の形状は、主に標準値としてデータベースに格納され、個別的眼球モデルを確認するためにステップＳТ２４でそこから呼び出される。例えば眼鏡装用者の眼球の前での眼鏡レンズの位置決めに関するその他の主に個別的なパラメータ（例えば角膜頂点距離、前傾角、フレームあおり角等）も、個別的眼球モデルの確認時に眼鏡レンズとモデル眼球とから成る光学系全体を確定するために考慮される。
【０１１１】
しかし少なくとも、眼球網膜に対する相対的位置における少なくとも角膜前面と眼球水晶体との協働によって、個別的に特定された眼球屈折が引き起こされることになるように、個別的眼球モデルは作成される。こうして主に、個々に確認された屈折と角膜前面の個々に確認された局所解剖とから眼球水晶体の所要度数は計算される。例えば、角膜前面の測定された局所解剖によって（少なくとも完全にではないが）引き起こされる眼球の非点収差が屈折特定時に測定される場合、この作用は個別的眼球モデルの確認時に眼球水晶体が原因であるとされる。
【０１１２】
製造すべき眼鏡レンズを計算するために、モデル眼球の前の主に個別的な装用状況に一致した一つの位置において眼鏡レンズの前面および後面の開始面がまず規定される（ステップＳТ２６）。これらの開始面と個別的眼球モデルとに基づいて、特に眼鏡レンズの各評価点について、特に眼球支点を（評価点に一致した眼球視線方向において）通る主光線の軌跡を確認することが行われる（ステップＳТ２８）。
【０１１３】
さらに、眼鏡レンズ前面に入射する発散球面波面が各評価点について規定され（ステップＳТ３０）、主光線上のこの球面波面の曲率中心は、主に個々に確定または選択された物体距離モデルによって示される物体距離にある。こうしてこの球面波面は当該物点から出発する光を記述する。
【０１１４】
波面はいまや各主光線に沿って少なくとも両方の眼鏡レンズ面と角膜前面と眼球水晶体とを通過し、各界面で屈折し、界面の間を例えば支障なく伝搬する。特に個別的眼球モデルによって界面と距離が少なくとも部分的に個別に確定されたなら、規定された球面波面からステップＳТ３２において眼球水晶体の背後の合成波面が確認される。
【０１１５】
引き続き合成波面の評価が行われる（ステップＳТ３４）。その際特別好ましくは、個別的瞳孔寸法に基づいて各視線方向について合成波面の係数（例えばゼルニケ係数）を合成収差の球面円筒表現に変換することが行われる。すなわち、球面屈折力、円柱屈折力、乱視軸位置の（「複合値」とも称される）変換された値が確認され、これらの値は瞳孔寸法によって特定された主光線周辺の合成波面に対する所望の調整を具現する。つまり主に、合成波面の評価時に高次波面収差はもはや明確には目的関数のなかで考慮されるのでなく、主に球面円柱組合せへの変換を介して間接的に目的関数に含まれるだけである。合成波面の評価は特に、参照波面との比較、特に各主光線に沿って網膜に至るまで収束する球面波面との比較に基づいて行われる。
【０１１６】
目的関数がまだ十分には最小化されていない（そしてその他でも最適化過程のための中断基準が存在しない）場合、最適化すべき眼鏡レンズ面が修正され、この過程はステップＳТ２８で主光線の軌跡を確認するとき少なくとも一つの修正された面に基づいて（修正されない前面と修正された後面とにおいて）再びスタートする。
【０１１７】
目的関数がステップＳТ３４で十分に最小化されたなら、眼鏡レンズ面を例えば頂点深さの形で出力し、眼鏡レンズを適宜仕上げることができる（ＳТ３６）。
【符号の説明】
【０１１８】
１０  主光線
１２  眼球
１４  眼鏡レンズの第１面（前面）
１６  眼鏡レンズの第２面（後面）
１８  角膜前面
２０  眼球水晶体
２２  原波面
２４  伝搬波面
２６  物点
【図１】
2015506499.tif 000057
【図２】
2015506499.tif 000058
【図３】
2015506499.tif 000059
【図４】
2015506499.tif 000060
【国際調査報告】
2015506499.tif 000061
2015506499.tif 000062
2015506499.tif 000063
2015506499.tif 000064
2015506499.tif 000065
2015506499.tif 000066